(57)【要約】【目的】  本発明の印鑑付筆記具は、軸筒の先方に複数の筆記体を搭載して軸先から選択的に筆記体の先端部を出没可能となると共に、軸筒の後端に硬質印鑑が配設されてなり、従来の浸透印鑑を使用した印鑑付筆記具と比べても使い勝手に遜色がない。【構成】  後軸の後端に印鑑が止着されると共に、後軸の外周部に長いキャップが着脱可能に固定されてなる印鑑付筆記具に於いて、後軸の後端に印面を後端側にして硬質印鑑が止着され、後軸の外周部にキャップが固定されて、前面に朱肉を保持したノック筒がキャップ内孔部後端に固定された天冠に対してバネ力によって常時後方に附勢されると共に、朱肉の前面が印面に小間隔で対面する状態となされ、また、ノック筒をバネ力に抗して小間隔より適宜大きな間隔で前進可能となして印面に朱肉が適性に付着可能となり、またさらに、天冠がキャップ後端に着脱可能となる。【選択図】        図１
2006218796.tif 000002
【特許請求の範囲】
【請求項１】
軸筒の先方にシャープペンシル、ボールペン等の複数の筆記体を搭載して、軸先から選択的に筆記体の先端部を出没可能とし、シャープペンシル筆記体としてその先端部を軸先から突出したときに、軸筒の後端に設けた後軸を前後動して芯の繰出しが可能となり、さらに、後軸の後端に印鑑が止着されると共に、後軸の外周部に万年筆形の長いキャップが着脱可能に固定されてなる印鑑付筆記具に於いて、
前記後軸の後端に印面を後端側にして硬質印鑑が止着され、後軸の外周部にキャップが固定されて、前面に朱肉を保持したノック筒がキャップ内孔部後端に固定された天冠に対してバネ力によって常時後方に附勢されると共に、朱肉の前面が前記印面に小間隔で対面する状態となされ、また、ノック筒をバネ力に抗して前記小間隔より適宜大きな間隔で前進可能となして印面に朱肉が適性に付着可能となり、またさらに、前記天冠がキャップ後端に着脱可能となるように設けられたことを特徴とする印鑑付筆記具。
【請求項２】
軸筒の先方にシャープペンシル、ボールペン等の複数の筆記体を搭載して、軸先から選択的に筆記体の先端部を出没可能とし、シャープペンシル筆記体としてその先端部を軸先から突出したときに、軸筒の後端に設けた後軸を前後動して芯の繰出しが可能となり、さらに、後軸の後端に印鑑が止着されると共に、後軸の外周部に万年筆形の長いキャップが着脱可能に固定されてなる印鑑付筆記具に於いて、
前記後軸の後端に印面を後端側にして硬質印鑑が止着され、後軸の外周部にキャップが固定されて、前面に朱肉を保持したノック筒がキャップ内孔部後端に固定された天冠に対してバネ力によって常時前方に附勢されると共に、朱肉の前面が前記印面に適宜食込み状態となされて、印面に朱肉が適性に付着可能となり、またさらに、前記天冠がキャップ後端に着脱可能となるように設けられたことを特徴とする印鑑付筆記具。
【請求項３】
軸筒は先軸と中軸からなり、先軸と中軸の先方を互いに回転不能且つ抜け止め状態に嵌着する係合部を夫々設けて両者を固定し、中軸に一体化したガイド筒とガイド筒の複数の案内溝に、それぞれ筆記体をガイド筒と摺動コマとの間にリターンスプリングを附勢して前後動自在に嵌装し、軸方向に変位するカム斜面を前端部に円周状に設けた円筒カムをガイド筒または中軸に対し回転且つ軸推移可能に抜け止めし、各摺動コマをカム斜面に当接させることにより先軸または中軸に対する円筒カムの回転によって交互に前後動させて、各筆記体の先端を先軸の先端口から選択的に出没可能とした筆記具であって、前記円筒カムの後方外周に一体的に後軸が設けられてなる請求項１または２に記載の印鑑付筆記具。
【発明の詳細な説明】
【技術分野】
【０００１】
本発明は、複数の筆記体の先端を先軸先端口から出没自在とし、且つ後軸の後端に硬質印鑑を取付けた印鑑付筆記具の改良に関する。
【背景技術】
【０００２】
【特許文献１】特開平０７−２４２０９６
【特許文献２】登録実用新案第３００４１７８号
【特許文献３】特開平１１−３４４６３
【特許文献４】特開２０００−２２９４６６
【０００３】
特許文献１には、先軸と中軸の先方を互いに回転不能且つ抜け止め状態に嵌着する係合部をそれぞれ設けて両者を固定し、中軸に一体化したガイド筒とガイド筒の複数の案内溝に、それぞれ筆記体をガイド筒と摺動コマとの間にリターンスプリングを附勢して前後動自在に嵌装し、軸方向に変位するカム斜面を前端部に円周状に設けた円筒カムをガイド筒または中軸に対し回転可能に抜け止めし、各摺動コマをカム斜面に当接させることにより先軸または中軸に対する円筒カムの回転によって交互に前後動させて、各筆記体の先端を先軸の先端口から選択的に出没可能とした複式筆記具に於いて、円筒カムの後方外周に一体的に後軸が設けられ、後軸の後端に無数の連続気孔を有した多孔性ゴム材料よりなる印判を使用した所謂、浸透印鑑が止着されて、後軸の外周部に万年筆形の長いキャップが印鑑の外周に非接触状態で着脱可能に固定された印鑑付筆記具が示されている。
また、ガイド筒の複数の案内溝に、少なくとも一本をシャープペンシル筆記体として、それぞれ筆記体をガイド筒と摺動コマとの間にリターンスプリングを附勢して前後動自在に嵌装し、シャープペンシル筆記体の先端部が先軸の先端口から突出した状態に於いて、先軸及び中軸に対するキャップの前後動でシャープ芯が繰り出されるように構成された印鑑付筆記具も知られている。
【０００４】
特許文献２には、印鑑を挿嵌する筒状ケースの上端に、印鑑の印面を突出させた状態で支持する固定環を設け、印面にかぶせるキャップの内面に、朱肉又はインキ浸透スポンジ等の朱肉を収容した受皿を摺動可能に嵌挿した嵌合枠を固定して受皿にコイルバネを作用させ、嵌合枠の受皿停止段部の先の円周部に施した複数の切込みを介して複数の弾性止片を突設し、かつ該弾性止片の先端部に固定環の周面に形成した環状溝に係止する係止突起を突出させたことを特徴とするケース入り印鑑が示されている。
【０００５】
特許文献３には、その請求項１において、「ケースと該ケースに被蓋するキャップとから成る印鑑ケースにおいて、キャップがキャップ本体の上方内部に、皿本体凹部を逆凹状に設けるとともに、該凹部に朱肉を盛り、その上端を該キャップ本体の頂面より上方に突出した朱肉皿を出入自在に案内するとともに、弾発力による突出端を位置決め保持して成る印鑑ケース。」と記載されている。
【０００６】
特許文献４には、「印鑑ケースは、公用印、訂正印等の印判体を着脱可能に収めるカバー胴体と、このカバー胴体に装着することにより、前記印判体の蓋の役割をするキャップ体とからなる印鑑ケースであって、前記キャップ体の外向側に開口を設け、この開口に前記キャップ体内に収まる印肉と一体にしてあるボタンを設け、このボタンを押すことにより印肉が移動し、この印肉が前記カバー胴体に収めてある前記印判体の印面に接触するように構成してあることを特徴とする。また、前記カバー胴体内に、前記印判体を挟持する挟持体を設けてあることを特徴とする。」と記載されている。
【０００７】
従来の印鑑付筆記具に用いられる印鑑は、無数の連続気孔を有した多孔性ゴム材料よりなる印判を使用した所謂、浸透印鑑であって、公用印として認められない場合が多く、今一利便性に不満がある。
公用印として認められるのは、朱肉等を使用する硬質印鑑である。硬質印鑑とは、柘植や象牙等に代表される印材に印面が彫刻されてなるものである。
硬質印鑑は捺印前に印面に朱肉を付着させることが必要となり、そのため、使い勝手が悪くなる問題がある。
また、浸透印鑑に使用するインキに対して、硬質印鑑に使用する朱肉は粘度が高い。従って、朱肉を補充可能とした場合、朱肉パッドに粘度の高い朱肉用インキを滴下した後、満遍なくのばすように塗る必要がある。
【発明の開示】
【発明が解決しようとする課題】
【０００８】
本発明の印鑑付筆記具は、軸筒の先方に複数の筆記体を搭載して、軸先から選択的に筆記体の先端部を出没可能とし、筆記体の一つをシャープペンシル筆記体とした場合に、その先端部を軸先から突出したときに、後端をノックして芯の繰り出しが可能であり、さらに、軸筒の後端に硬質印鑑が配設されており、従来の浸透印鑑を使用した印鑑付筆記具と比べても使い勝手が遜色ないことを課題とする。
【課題を解決するための手段】
【０００９】
本発明は、上記課題を達成する為に以下の構成を有する。
請求項１に記載の発明に係る印鑑付筆記具は、軸筒の先方にシャープペンシル、ボールペン等の複数の筆記体を搭載して、軸先から選択的に筆記体の先端部を出没可能とし、シャープペンシル筆記体としてその先端部を軸先から突出したときに、軸筒の後端に設けた後軸を前後動して芯の繰出しが可能となり、さらに、後軸の後端に印鑑が止着されると共に、後軸の外周部に万年筆形の長いキャップが着脱可能に固定されてなる印鑑付筆記具に於いて、前記後軸の後端に印面を後端側にして硬質印鑑が止着され、後軸の外周部にキャップが固定されて、前面に朱肉を保持したノック筒がキャップ内孔部後端に固定された天冠に対してバネ力によって常時後方に附勢されると共に、朱肉の前面が前記印面に小間隔で対面する状態となされ、また、ノック筒をバネ力に抗して前記小間隔より適宜大きな間隔で前進可能となして印面に朱肉が適性に付着可能となり、またさらに、前記天冠がキャップ後端に着脱可能となるように設けられてなる。
【００１０】
請求項２に記載の発明に係る印鑑付筆記具は、軸筒の先方にシャープペンシル、ボールペン等の複数の筆記体を搭載して、軸先から選択的に筆記体の先端部を出没可能とし、シャープペンシル筆記体としてその先端部を軸先から突出したときに、軸筒の後端に設けた後軸を前後動して芯の繰出しが可能となり、さらに、後軸の後端に印鑑が止着されると共に、後軸の外周部に万年筆形の長いキャップが着脱可能に固定されてなる印鑑付筆記具に於いて、前記後軸の後端に印面を後端側にして硬質印鑑が止着され、後軸の外周部にキャップが固定されて、前面に朱肉を保持したノック筒がキャップ内孔部後端に固定された天冠に対してバネ力によって常時前方に附勢されると共に、朱肉の前面が前記印面に適宜食込み状態となされて、印面に朱肉が適性に付着可能となり、またさらに、前記天冠がキャップ後端に着脱可能となるように設けられてなる。
【００１１】
請求項３に記載の発明に係る印鑑付筆記具は、請求項１または２に記載の印鑑付筆記具に於いて、軸筒は先軸と中軸からなり、先軸と中軸の先方を互いに回転不能且つ抜け止め状態に嵌着する係合部を夫々設けて両者を固定し、中軸に一体化したガイド筒とガイド筒の複数の案内溝に、それぞれ筆記体をガイド筒と摺動コマとの間にリターンスプリングを附勢して前後動自在に嵌装し、軸方向に変位するカム斜面を前端部に円周状に設けた円筒カムをガイド筒または中軸に対し回転且つ軸推移可能に抜け止めし、各摺動コマをカム斜面に当接させることにより先軸または中軸に対する円筒カムの回転によって交互に前後動させて、各筆記体の先端を先軸の先端口から選択的に出没可能とした筆記具であって、前記円筒カムの後方外周に一体的に後軸が設けられてなる。
【発明の効果】
【００１２】
以上のように、本発明の印鑑付筆記具は、軸筒の先方に複数の筆記体を搭載して、軸先から選択的に筆記体の先端部を出没可能とし、筆記体の一つをシャープペンシル筆記体とした場合に、その先端部を軸先から突出したときに、軸筒の後端をノックして芯の繰り出しが可能であり、さらに、後軸の後端に硬質印鑑が止着されると共に、後軸の外周部に万年筆形の長いキャップが着脱可能に固定され、
その印面に小間隔で対面する状態で前面に朱肉を保持したノック筒が前記キャップ内孔部後端にバネ力によってキャップに対して常時後方に附勢されると共に、バネ力に抗して前記小間隔より適宜大きな間隔で前進可能となされ、または、前面に朱肉を保持したノック筒がキャップ内孔部後端に固定された天冠に対してバネ力によって常時前方に附勢されると共に、朱肉の前面が前記印面に適宜食込み状態となされて、
印面に朱肉が適性に付着可能となる。
また、上述したように、浸透印鑑に使用するインキに対して、硬質印鑑に使用する朱肉は粘度が高い。従って、朱肉を補充可能とした場合、朱肉パッドに粘度の高い朱肉用インキを滴下した後、満遍なくのばすように塗る必要がある。本発明の印鑑付筆記具は、後軸に長いキャップを嵌着することで筆記具としての見栄えを良くするものであるが、朱肉がキャップの奥に位置するために朱肉を補充する点において欠点となる。
それに対して、本発明では、天冠をキャップ後端に着脱可能とすることによって、天冠を外したときに朱肉パッドが取り出せるので容易に補充可能となる。
以上により、本発明の印鑑付筆記具は従来の浸透印鑑を使用した印鑑付筆記具と比べても使い勝手に遜色がなく提供できる。
【発明を実施するための最良の形態】
【００１３】
先ず、図１及び図４は本発明の第１の実施形態を示している。
本発明の印鑑付筆記具はガイド筒２を一体に備えた中軸１、先軸３、円筒カム５を一体に備えた後軸４、一対の摺動コマ６ａ、６ｂ、ボールペン筆記体７ａ、７ｂ、印鑑２９、キャップ３１を主な構成要素とする。先ず、中軸１は樹脂製で、図１に示すように、略中央部から後端まで側面に開口した軸方向に長い案内溝８ａとそれと反対側の側面に同様の案内溝８ｂを有したガイド筒２が設けられている。ガイド筒２の前半部には各案内溝８ａ、８ｂと連通して孔２４ａ、２４ｂを有した仕切り部１４を備えて前端を開口した筒部９が設けられ、筒部９の後端に段部２３を有して前方の外周部に膨出状の係合部１１が形成されている。
【００１４】
また、中軸１の後方側面には図２に示すように縦溝１６が先方の傾斜面１６ａを介して巾狭部１６ｂが周溝１７に接続されて略逆Ｔの字状の窓部が穿設されている。また、後述するが、円筒カム５の突起１５は縦溝１６より挿入され、突起１５が傾斜面１６ａを弾性的に拡開して巾狭部１６ｂを通過して周溝１７内に入る。円筒カム５は、突起１５が周溝１７の周方向の後壁１７ｂに当接しながら回転して、ボールペン筆記体７ａまたはボールペン筆記体７ｂの筆記先端部が先軸先端口から交互に出没することになる。ところで、突起１５の前端が周溝１７の前壁１７ａで前進阻止されるので円筒カム５は中軸１に対し軸推移しない。また、後端側からの落下衝撃で突起１５が破損する危険がある場合には、前壁１７ａと突起１５の前端との間に隙間を設けて中軸１の後端に後軸４の壁１８が当接する状態で突起１５の前端が前壁１７ａに当接しないように成せばよい。
【００１５】
先軸３は、前方が先細状で、内孔部先端には筆記先端部が出没する先端口が設けられている。また、後端孔には、前記ガイド筒前方の筒部９の外周部に設けられた係合部１１と迎合して筒部９と抜け止め且つ回転止めされる係合溝１０が設けられている。尚、筒部９と先軸３は適宜な力で着脱可能に固定される。
尚、ボールペン筆記体７ａ、７ｂを交換する際には、中軸１に対し先軸３を引き抜くが、後述する後軸４とキャップ３１の着脱との関係から操作を単純化する為に筒部９と先軸３の後端孔との接合は螺子とするのが望ましい。
【００１６】
後軸４は樹脂製で、先端に円筒カム５を一体に有している。円筒カム５は筒状を成し、前端縁に円周状に前後に変位するカム斜面１２を有し、カム斜面１２の最前端部には切欠１３が形成されている。また、円筒カム５の側面には前記中軸１の縦溝１６に挿入して弾性的に周溝１７に嵌入して一定範囲（略１８０度）で回転且つ抜け止めする突起１５が形成されている。
【００１７】
また、後軸４は前記円筒カム５の後方に壁１８で接続されて一体となった前側の外筒部２５と後側の外筒部２６が設けられ、外筒部２５の前端には後述するキャップ３１の前端を当接する鍔部２７が形成され、また外周部にはキャップ３１の内周部と係合する係合部２８が形成されている。
【００１８】
尚、キャップ３１を樹脂製とすれば前記係合部２８は凹凸状の係合部、リブ等の摩擦係合、螺子等が選択可能である。キャップ３１を金属製とすれば外筒部２５の外周に金属製の筒体を固着して、その筒体の周面にリブ状の係合部を設けるか、キャップ３１の内周部に係合部を有したカツラを設置する等種々の手段が選択できる。
また、キャップ３１の後端孔内周には螺子部が形成されている。
【００１９】
印鑑２９は、硬質印鑑で、柘植や象牙等に代表される印材に印面が彫刻されてなり、朱肉を付着して捺印する印面３０を有している。
印鑑２９は、前記後軸の外筒部２６の内面に印面３０を後端側にして着脱可能に嵌着される。
【００２０】
ノック筒３２は、前端に朱肉収容部３３を有し、その後方に軸部３４ａと後端部３４ｃの適宜前方に鍔部３４ｂが一体に設けられてなる。また、朱肉収容部３３には朱肉３６が取付けられる。
また固定具３５は筒体で、後端の軸部３５ｃの前方に外段部とその外段部の前方外周に螺子部３５ｂが形成され、内孔部に貫通孔を有した段部３５ａが一体に設けられてなる。  また天冠３８は、後端に貫通孔を有した内段部３８ａが設けられ、前端が前記固定具３５の外段部に当接すると共に軸部３５ｃに嵌着される。
その際、固定具の段部３５ａとノック筒の鍔部３４ｂとの間にスプリング３７が敷設され、ノック筒３２は固定具３５に対し後端側に附勢されると共に後端部３４ｃが天冠３８の後端から適宜突出した状態に設けられる。
尚、上述した構成は具体的な組立て構造を示すものではなく、具体的な構造は作業性やコストを考慮して部品形状など設定される。
以上により、固定具３５の螺子部３５ｂをキャップ３１後端孔の螺子部に螺合し、天冠３８の前端をキャップ３１の後端に当接させた状態で固定して、キャップ３１の内孔部後方に朱肉３６がセットされる。
【００２１】
また、後軸の外筒部２５の外周にキャップ３１が嵌挿され、キャップ３１の前端が鍔部２７に当接し、外筒部２５に設けた係合部２８でキャップ３１は着脱可能に固定される。  この状態で、印鑑２９の印面３０と朱肉３６の前面との間が小間隔で対面し、後端部３４ｃを押圧してノック筒３２が前進したときに朱肉３６が印面３０に所定量食い込み、適量の朱肉が印面に付着する。また、必要以上に朱肉３６が印面３０に食い込まないように天冠３８の後端に対して後端部３４ｃの突出量が制限されている。
【００２２】
また、摺動コマ６ａ、６ｂは、外面に突起２０ａ、２０ｂを有し、突起２０ａ、２０ｂの後端面には中央部が突出してその両側が前述した円筒カム５のカム斜面１２と略同勾配のカム斜面を有している。また、先端にはボールペン筆記体７ａ、７ｂの後端を止着する係止部２１ａ、２１ｂが設けられている。尚、係止部はパイプ状に成して筆記体の後端を嵌着することも可能である。
【００２３】
次に、組立順序で説明すると、ボールペン筆記体７ａ、７ｂは後端にそれぞれの摺動コマ６ａ、６ｂを接続させて、前述の中軸のガイド筒２の各案内溝８ａ、８ｂに移動自在に嵌装され、各摺動コマ６ａ、６ｂの前端面と案内溝８ａ、８ｂ前面の仕切り部１４との間に介装したリターンスプリング２２ａ、２２ｂにより後方へ附勢される。
【００２４】
後軸４は円筒カム５を中軸１の後端孔に挿入して突起１５を周溝１７に弾性的に嵌入させて、中軸１に対して円周方向に略１８０度で回転自在且つ抜け止めして止着される。
また、各摺動コマ６ａ、６ｂは常時リターンスプリング２２ａ、２２ｂによって後方へ附勢されているので、常にその突起２０ａ、２０ｂのカム斜面を円筒カム５のカム斜面１２に接触した状態を保っている。
尚、実施例とは別に、円筒カムの内孔に鍔状の突部を設け、ガイド筒の後端外周に周溝を設けて、周溝に突部を弾性的に嵌入させて、円筒カムをガイド筒に対し回転自在で抜け止めするように構成することも可能である。
【００２５】
また、中軸１の段部２３の前面に先軸３の後端面が当接状態で、筒部９の係合部１１が先軸３の係合溝１０に弾性的に嵌着して、先軸３と中軸１が回転止め且つ抜け止め状態に固定される。尚、先軸３は適宜な力で着脱可能になっている。
【００２６】
後軸４の外筒部２５にキャップ３１が固定される。この状態で、先軸３または中軸１に対してキャップ３１を一方に回転すると、摺動コマ６ａが前進して円筒カム５のカム斜面１２の最前端の切欠１３が一方のボールペン筆記体７ａの摺動コマ６ａの突起２０ａに係止して筆記先端部が先軸先端口から突出状態になる。また、先軸３または中軸１に対してキャップ３１を他方に回転すると、摺動コマ６ａが後退してボールペン筆記体７ａの筆記先端部が先軸先端口から没入すると共に、摺動コマ６ｂが前進して他方のボールペン筆記体７ｂの筆記先端部が先軸先端口から突出する。
【００２７】
また、図３及び図４は円筒カムの突起１５と中軸１ａの係合状態を示す他の実施形態を示している。この場合には、周溝４０に突起１５を嵌装する手段として、中軸１ａの後端から突起１５を嵌装するガイド溝４３の上壁に傾斜面４２を有した仕切り壁４１を設けている。仕切り壁４１を設けた理由は、上記係合部に於ける中軸１ａの剛性を強化するためである。
【００２８】
（作用）
先軸３または中軸１に対してキャップ３１すなわち後軸４を一方に回転すると、図１に示すように円筒カム５のカム斜面１２の先端に設けた切欠１３が一方のボールペン筆記体７ａの摺動コマ６ａと係合してその筆記先端部を先軸先端口から突出する。このとき、円筒カム５の突起１５は中軸１の周溝１７で図２に示す左端に位置している。
また、先軸３または中軸１に対して後軸４を他方に回転するとボールペン筆記体７ａが後退し、代わりにボールペン筆記体７ｂの筆記先端部が先軸先端口から突出する。このとき、円筒カム５の突起１５は中軸１の図２に示す周溝１７で右端に位置する。
次に、後軸４からキャップ３１を外すと印鑑２９の印面３０が露出するので、後軸４の外周部を掴んで印面３０を下に向けて捺印する。
【００２９】
また、図５は本発明の第２の実施形態を示している。
基本的には上述した第１の実施形態と同じなので、相違点について説明する。
ノック筒４５は、前端に朱肉収容部を有し、その後方に軸部４５ａと後方に鍔部４５ｂが一体に設けられてなり、朱肉収容部には朱肉３６が取付けられている。
また固定具４４は、筒体で、後端の軸部の前方に外段部とその外段部の前方外周に螺子部が形成され、内孔部に貫通孔を有した段部４４ａが一体に設けられてなる。
また天冠４６は、後端が閉塞状となされ、前端が前記固定具４４の外段部に当接すると共に軸部に嵌着される。
その際、ノック筒の鍔部４５ｂの前端が固定具の段部４４ａに当接し、天冠４６の内孔部後端とノック筒の鍔部４５ｂの後端との間にスプリング４７が敷設され、ノック筒４５は固定具４４の前端側に附勢される。
尚、上述した構成は具体的な組立て構造を示すものではなく、具体的な構造は作業性やコストを考慮して部品形状など設定される。
以上により、固定具４４の螺子部をキャップ３１後端孔の螺子部に螺合し、天冠４６の前端をキャップ３１の後端に当接させた状態で固定して、キャップ３１の内孔部後方に朱肉３６がセットされる。
また、後軸４の外筒部の外周にキャップ３１が嵌挿され、キャップ３１の前端が鍔部に当接し、外筒部に設けた係合部でキャップ３１は着脱可能に固定される。この状態で、朱肉３６が印鑑２９の印面３０に所定量食い込み、適量の朱肉が印面に付着する。
【００３０】
また、図６は本発明の印鑑付筆記具において、筆記体にボールペン筆記体とシャープペンシル筆記体を設けた場合について説明している。
図に示すように、中軸１ｂの後方側面には縦溝５０が先方の傾斜面５１を介して巾狭部５３が周溝５４に接続されて略Ｌの字状の窓部が穿設されている。また後述するが、円筒カム５の突起１５は縦溝５０より挿入され、突起１５が傾斜面５１を弾性的に拡開して巾狭部５３を通過して周溝５４内に入る。円筒カム５は突起１５が周溝５４の周方向の後壁に当接しながら回転して、シャープペンシル筆記体またはボールペン筆記体の筆記部が先軸先端口から交互に出没することになる。
周溝５４はシャープペンシル筆記体が突出するときの突起１５の位置で円筒カム５が前後動可能なように巾広溝５５が設けられ、筆記体の収納時またはボールペン筆記体が突出するときの突起１５の位置で円筒カム５がほぼ前後動不可となるように周溝５４の後壁５２と後壁５８との間に傾斜面５７が接続されて巾狭溝５９が設けられている。
【００３１】
（その他の実施形態）
キャップに対するノック筒の取付け構造や前進阻止の為の当接構造は上述した実施形態に限定されず設けることが可能である。
また、複数の筆記体を搭載して、軸先から選択的に筆記体の先端部を出没可能とする機構は、上述した円筒カムを回転する構造に限らず、スライダー式、ノック式、振り子式など従来の複式筆記具に使用される構造が適用可能である。
【図面の簡単な説明】
【００３２】
【図１】本発明の第１の実施形態を示す印鑑付筆記具の全体の縦断面図で、一部非断面となっている。
【図２】円筒カムの突起と中軸の周溝との係合状態を示す説明図である。
【図３】円筒カムの突起と中軸の周溝との係合状態の他の実施形態を示す説明図である。
【図４】図３に於ける係合部の要部断面図である。
【図５】本発明の第２の実施形態を示す印鑑付筆記具の全体の縦断面図で、一部非断面となっている。
【図６】円筒カムの突起と中軸の周溝との係合状態の更に他の実施形態を示す説明図である。
【符号の説明】
【００３３】
１      中軸
１ａ    中軸
１ｂ    中軸
２      ガイド筒
３      先軸
４      後軸
５      円筒カム
６ａ    摺動コマ
６ｂ    摺動コマ
７ａ    ボールペン筆記体
７ｂ    ボールペン筆記体
８ａ    案内溝
８ｂ    案内溝
９      筒部
１０    係合溝
１１    係合部
１２    カム斜面
１３    切欠
１４    仕切り部
１５    突起
１６    縦溝
１６ａ  傾斜面
１６ｂ  巾狭部
１７    周溝
１７ａ  前壁
１７ｂ  後壁
１８    壁
１９    クリップ
２０ａ  突起
２０ｂ  突起
２１ａ  係止部
２１ｂ  係止部
２２ａ  リターンスプリング
２２ｂ  リターンスプリング
２３    段部
２４ａ  孔
２４ｂ  孔
２５    外筒部
２６    外筒部
２７    鍔部
２８    係合部
２９    印鑑
３０    印面
３１    キャップ
３２    ノック筒
３３    朱肉収容部
３４ａ  軸部
３４ｂ  鍔部
３４ｃ  後端部
３５    固定具
３５ａ  段部
３５ｂ  螺子部
３５ｃ  軸部
３６    朱肉
３７    スプリング
３８    天冠
３８ａ  内団部
４０    周溝
４０ａ  前壁
４０ｂ  後壁
４１    仕切り壁
４２    傾斜面
４３    ガイド溝
４４    固定具
４４ａ  段部
４５    ノック筒
４５ａ  軸部
４５ｂ  鍔部
４６    天冠
４７    スプリング
５０    縦溝
５１    傾斜面
５２    後壁
５３    巾狭部
５４    周溝
５５    巾広溝
５６    前壁
５７    傾斜面
５８    後壁
５９    巾狭溝
【図１】
2006218796.tif 000003
【図２】
2006218796.tif 000004
【図３】
2006218796.tif 000005
【図４】
2006218796.tif 000006
【図５】
2006218796.tif 000007
【図６】
2006218796.tif 000008